(57)【特許請求の範囲】
【請求項１】
エンジンと、
前記エンジンから排出される排気ガスを浄化するための浄化装置であって、特性の異なる浄化装置を複数備える排気システムと、
運転者の加速要求を検出する加速要求検出部と、
運転者の減速要求を検出する減速要求検出部とを備え、
前記運転者の加速要求および減速要求が所定の条件下にあるときに、前記エンジンの回転数をアイドル状態として走行するエンジンアイドル惰性走行、または、前記エンジンを停止して走行するエンジン停止惰性走行を実施する機能を有する車両を制御する車両制御装置であって、
前記車両制御装置は、前記排気システム中の全ての浄化装置の状態が、各浄化装置の特性に応じて浄化装置毎に予め定められたエンジン停止惰性走行実施条件を満たすときに、前記エンジン停止惰性走行を許可し、
前記複数の浄化装置は、少なくとも、三元触媒とＧＰＦとを含み、
前記車両制御装置は、
前記三元触媒の温度が所定の温度範囲外、前記ＧＰＦの温度が所定の温度範囲外、又は前記ＧＰＦのＰＭ堆積量が所定の閾値以上であるときに、前記エンジンアイドル惰性走行のみを許可し、前記エンジン停止惰性走行を許可せず、
前記三元触媒の温度が所定の温度範囲内、前記ＧＰＦの温度が所定の温度範囲内、かつ前記ＧＰＦのＰＭ堆積量が所定の閾値未満であるときに、前記エンジンアイドル惰性走行を許可するとともに、前記エンジンアイドル惰性走行を許可している状態において、前記三元触媒と前記ＧＰＦの状態以外の前記車両の状態によって決定されるエンジン停止惰性走行実施条件の成否を判定し、前記エンジン停止惰性走行実施条件が成立しないと判定した場合は、前記エンジンアイドル惰性走行を継続して実行し、前記エンジン停止惰性走行実施条件が成立していると判定した場合は、前記エンジン停止惰性走行を許可することを特徴とする車両制御装置。
【請求項２】
エンジンと、
前記エンジンから排出される排気ガスを浄化するための浄化装置であって、特性の異なる浄化装置を複数備える排気システムと、
運転者の加速要求を検出する加速要求検出部と、
運転者の減速要求を検出する減速要求検出部とを備え、
前記運転者の加速要求および減速要求が所定の条件下にあるときに、前記エンジンの回転数をアイドル状態として走行するエンジンアイドル惰性走行、または、前記エンジンを停止して走行するエンジン停止惰性走行を実施する機能を有する車両を制御する車両制御装置であって、
前記車両制御装置は、前記排気システム中の全ての浄化装置の状態が、各浄化装置の特性に応じて浄化装置毎に予め定められたエンジン停止惰性走行実施条件を満たすときに、前記エンジンアイドル惰性走行を許可するとともに、前記エンジンアイドル惰性走行を許可している状態において、前記排気システム中の全ての浄化装置の状態以外の前記車両の状態によって決定されるエンジン停止惰性走行実施条件の成否を判定し、前記エンジン停止惰性走行実施条件が成立しないと判定した場合は、前記エンジンアイドル惰性走行を継続して実行し、前記エンジン停止惰性走行実施条件が成立していると判定した場合は、前記エンジン停止惰性走行を許可することを特徴とする車両制御装置。
【請求項３】
前記車両制御装置は、前記排気システムの各浄化装置において直接的または間接的に取得した温度もしくは圧力が、浄化装置毎に予め定められた温度条件もしくは圧力条件を満たすときに、前記エンジン停止惰性走行を許可することを特徴とする、請求項２に記載の車両制御装置。
【請求項４】
前記複数の浄化装置は、少なくとも、三元触媒とＧＰＦとを含み、
前記車両制御装置は、前記三元触媒の温度が所定の温度範囲内、かつ、前記ＧＰＦのＰＭ堆積量が所定の閾値未満であるときに、前記エンジン停止惰性走行を許可することを特徴とする、請求項２に記載の車両制御装置。
【請求項５】
前記複数の浄化装置は、少なくとも、三元触媒とＧＰＦとを含み、
前記車両制御装置は、前記三元触媒の温度が所定の温度範囲内、かつ、前記ＧＰＦのＰＭ堆積量が所定の閾値以上であるときに、前記エンジンアイドル惰性走行を許可し、前記エンジン停止惰性走行を許可しないことを特徴とする、請求項２に記載の車両制御装置。
【請求項６】
前記車両制御装置は、前記エンジンアイドル惰性走行を許可しているときに、前記ＧＰＦの温度が所定の温度閾値以下である場合は、前記ＧＰＦの温度が前記所定の温度閾値より高くなるように前記ＧＰＦの昇温を行うことを特徴とする、請求項１又は５に記載の車両制御装置。
【請求項７】
前記車両制御装置は、前記排気システムの上流側に配置した前記三元触媒の診断を実施した後に、前記排気システムの下流側に配置した前記ＧＰＦの診断を実施することを特徴とする、請求項１又は５に記載の車両制御装置。
【発明の詳細な説明】
【技術分野】
【０００１】
本発明は、車両制御装置に係り、自動車等の車両の惰性走行による燃費向上と排気システム中に配備された浄化装置の最適な排気触媒管理による部品保護とを両立し得る車両制御装置に関する。
【背景技術】
【０００２】
自動車等の車両の燃費向上を目的として、走行中に変速機のギアをニュートラルとする、または、エンジンと変速機を繋いでエンジンの動力を車輪に伝達するクラッチを開放し、エンジン（の回転数）をアイドル状態として走行する、もしくは、エンジンを停止させて走行する惰性走行を実施して、エンジンの燃料噴射量を抑える技術が提案されている。
【０００３】
一方、ガソリンエンジンから排出される排気ガスは、一般に、排気管に備え付けられる三元触媒で酸化還元反応され、無害な物質に置換されて大気中に放出される。この三元触媒は、ある一定の温度以上のときに活性状態となって、最も効率良く排気ガスを浄化できる状態となる。この活性状態は、エンジンで空気（吸気）と燃料の混合気を燃焼させた際に発生する熱によって維持される。そのため、前述のようなエンジン出力を抑えて燃料噴射量を減少させる施策が行われた場合、エンジンで混合気を燃焼させたときに発生する熱も低下するため、三元触媒の活性状態が失われ、排気ガスの浄化が適正に行われなくなる懸念がある。
【０００４】
このような課題を解決するため、特許文献１では、ディーゼルエンジンを搭載した車両（ディーゼル車両）において、走行中にエンジンをアイドル状態とするまたはエンジン停止とする惰性走行を実施する際に、前記触媒の温度を監視するとともに、前記アイドル状態またはエンジン停止の惰性走行を許可する触媒温度を設定し、前記触媒の温度が設定した触媒温度の範囲外である場合に各惰性走行モードへの移行を禁止する技術が提案されている。
【０００５】
また、特許文献１では、エンジン停止による惰性走行モードの実施を許可する触媒温度範囲が、エンジンをアイドル状態とする惰性走行モードの実施を許可する触媒温度範囲よりも狭く設定されており、エンジン停止による惰性走行モードで触媒温度が過剰に低下することを防ぐ施策が採られている。
【先行技術文献】
【特許文献】
【０００６】
【特許文献１】特開２０１４−９２１０２号公報
【発明の概要】
【発明が解決しようとする課題】
【０００７】
ところで、ガソリンエンジンの燃費を向上させる技術として、直噴インジェクションシステムがある。
【０００８】
従来のガソリンエンジンに見られるポート噴射方式は、エンジンシリンダ（気筒）内に入る前の吸気ポート上流にて燃料噴射装置（インジェクタ）から燃料噴射を行う方式であり、十分気化した混合気を気筒内で完全燃焼させることができる反面、燃料噴射量の微調整が難しいという特徴がある。
【０００９】
一方、直噴インジェクションシステムは、エンジンシリンダ内に直接燃料噴射を行う方式であり、ポート噴射方式よりもきめ細やかに燃料噴射量を調整することが可能であり、省燃費実現のために優位である。
【００１０】
しかし、前述の直噴インジェクションシステムは、ポート噴射方式に比べて、燃料と空気（吸気）を十分に混ぜ合わせることが難しく、燃料が十分に気化されない状態で燃焼行程に移行するため、未燃ガスやパティキュレートマター（ＰＭ：Particulate Matter）が発生しやすい。そのため、当該直噴インジェクションシステムを用いた直噴ガソリンエンジンにおいては、省燃費を実現しつつも、更なる排気ガスの浄化が求められている。
【００１１】
このような要求に対し、ガソリンエンジンの排気システムに、従来の三元触媒に加えて、ディーゼルエンジンに適用されるディーゼルパティキュレートフィルター（ＤＰＦ：Diesel Particulate Filter）と同様のガソリンパティキュレートフィルター（ＧＰＦ：Gasoline Particulate Filter）を取り付けた構成とし、ガソリンエンジンから排出される排気ガスのＰＭを除去することが考えられる。
【００１２】
このような三元触媒とＧＰＦの組み合わせによる排気システムを備えた構成の車両における省燃費実現と排気ガス浄化装置（三元触媒およびＧＰＦ）の効率向上との両立を考えた際、特許文献１では、ＤＰＦを搭載したディーゼル車両の惰性走行の実施における触媒の温度条件についてのみ述べられており、三元触媒とＧＰＦの組み合わせによる排気システムを備えた構成においては、条件が不十分であると考えられる。
【００１３】
より詳しくは、公知のディーゼルエンジンのＤＰＦでは、捕捉したＰＭの堆積量が所定値を超えた場合に、ＤＰＦを昇温させてＰＭを燃焼させる再生制御が行われる。ガソリンエンジンのＧＰＦでも、このＤＰＦと同様に、ＰＭ堆積量が増加した場合には、再生制御が必要となるが、前記のように三元触媒とＧＰＦが同時に存在する排気システムにおいては、三元触媒の活性化温度および耐熱温度等、ＧＰＦの再生温度と耐熱温度等がそれぞれ異なる特性を持つことを考慮する必要がある。
【００１４】
例えば、三元触媒（の温度）が活性状態にあるが、ＧＰＦのＰＭ堆積量が所定値以上であり、ＧＰＦの再生制御が必要であると判断される場合には、ＧＰＦの再生制御が優先されてエンジン停止惰性走行を禁止すべきである。
【００１５】
一方、ＧＰＦのＰＭ堆積量が所定値未満であり、ＧＰＦの再生制御が不要である場合には、ＧＰＦの温度を管理せずともＰＭがＧＰＦに捕捉されるので、三元触媒の活性状態のみでエンジン停止惰性走行が判断（実施）されるべきである。
【００１６】
このように、例えば三元触媒とＧＰＦといった異なる特性を持つ浄化装置の組み合わせで構成される排気システムでは、それぞれの浄化装置の状態に応じて、部品保護と排気ガス浄化と燃費向上のどれを優先すべきかを判断したのち、最適なエンジン制御（惰性走行モード制御）が実施されるべきである。
【００１７】
本発明は、上記事情に鑑みてなされたものであり、その目的とするところは、車両の惰性走行による燃費向上と排気システム中に配備された複数の浄化装置の最適な排気触媒管理による部品保護とを両立することのできる車両制御装置を提供することにある。
【課題を解決するための手段】
【００１８】
上記目的を達成するために、本発明に係る車両制御装置は、エンジンと、前記エンジンから排出される排気ガスを浄化するための浄化装置であって、特性の異なる浄化装置を複数備える排気システムと、運転者の加速要求を検出する加速要求検出部と、運転者の減速要求を検出する減速要求検出部とを備え、前記運転者の加速要求および減速要求が所定の条件下にあるときに、前記エンジンの回転数をアイドル状態として走行するエンジンアイドル惰性走行、または、前記エンジンを停止して走行するエンジン停止惰性走行を実施する機能を有する車両を制御する車両制御装置であって、前記車両制御装置は、前記排気システム中の全ての浄化装置の状態が、各浄化装置の特性に応じて浄化装置毎に予め定められたエンジン停止惰性走行実施条件を満たすときに、前記エンジン停止惰性走行を許可することを特徴としている。
【発明の効果】
【００１９】
本発明によれば、排気システム中の全ての浄化装置の状態が、各浄化装置の特性に応じて浄化装置毎に予め定められたエンジン停止惰性走行実施条件を満たすときに、エンジンを停止して走行するエンジン停止惰性走行を許可することで、車両の惰性走行による燃費向上と排気システム中に配備された複数の浄化装置の最適な排気触媒管理による部品保護との両立を図ることが可能となる。
【００２０】
上記した以外の課題、構成及び効果は、以下の実施形態の説明により明らかにされる。
【図面の簡単な説明】
【００２１】
【図１】本発明に係る車両制御装置（エンジン制御システム）の実施形態１が適用される車両の概略構成図である。
【図２】本発明に係る車両制御装置（エンジン制御システム）の実施形態１による惰性走行切替制御のフローチャートである。
【図３】本発明に係る車両制御装置（エンジン制御システム）の実施形態１による惰性走行切替制御における車両状態を時系列で示したタイミングチャートである。
【図４】本発明に係る車両制御装置（エンジン制御システム）の実施形態２による惰性走行切替制御のフローチャートである。
【図５】本発明に係る車両制御装置（エンジン制御システム）の実施形態２による惰性走行切替制御における車両状態を時系列で示したタイミングチャートである。
【図６】本発明に係る車両制御装置（エンジン制御システム）の実施形態２が適用される車両における、各触媒の状態に対する惰性走行モードの実施領域を示す図である。
【発明を実施するための形態】
【００２２】
以下、本発明の実施形態を図面を参照しながら説明する。
【００２３】
［実施形態１］
《車両構成》
図１は、本発明に係る車両制御装置（エンジン制御システム）が適用されるガソリンエンジン（以下、単にエンジンという）を搭載した自動車等の車両の概略構成図である。
【００２４】
図１における車両１は、エンジン１００と、エンジン１００から排出される排気ガスを浄化して大気中に放出するための排気システム２００と、エンジン１００の動力をドライブシャフト３０４（駆動装置である車輪に連結された車軸）に伝えるクラッチ機構３０１と変速機３０２を有するトランスミッション３００とを備え、エンジン１００に含まれる各部品はエンジン制御システム１０１によって制御され、トランスミッション３００のクラッチ機構３０１および変速機３０２はトランスミッション制御システム３０３によって制御される。
【００２５】
また、前記車両１には、アクセルペダル４０４およびブレーキペダル４０５が設けられ、運転者のペダル（アクセルペダル４０４およびブレーキペダル４０５）操作は、アクセルペダルセンサ４０１およびブレーキペダルセンサ４０２で検知され、運転者の加速要求および減速要求としてエンジン制御システム１０１に入力される。すなわち、アクセルペダルセンサ４０１およびブレーキペダルセンサ４０２は、運転者の加速要求および減速要求を検出する加速要求検出部および減速要求検出部として機能する。なお、この運転者の加速要求または減速要求のための操作は、オートクルーズスイッチ４０３にて起動されるクルーズコントロールで代用できるようにしてもよい。
【００２６】
＜エンジン１００＞
エンジン制御システム１０１は、電源としてのバッテリー５０１に接続されており、運転者の加速要求から目標トルクを算出し、エンジン１００に流入させる空気量、燃料噴射量、点火時期等を演算し、各部品を作動させる。その際、排気システム２００で効率的に排気ガスを浄化できるように、空燃比フィードバックによる空気量、燃料噴射量、点火時期等の補正を行う。
【００２７】
エンジン１００に流入する空気量は、エアフロセンサ１１０で監視され、電子制御スロットル１１１の開度によって調節される。電子制御スロットル１１１の開度は、運転者の加速要求または減速要求あるいは車両１の状態から、エンジン制御システム１０１によって最適な開度に決定される。
【００２８】
エンジン１００に流入する空気は、吸気バルブ１１２が開くことによって、シリンダ（気筒）内に吸入される。
【００２９】
エンジン１００の回転中は、ピストン１１５によるピストン運動がコンロッド１１６を伝い、クランクシャフト１１７によって円運動に変換される。このエンジン１００の回転中において、特定のシリンダが吸入工程または圧縮工程にある際に、燃料噴射装置（インジェクタ）１１３がシリンダ内に燃料を噴射（ここでは、直接噴射）し、シリンダ内に混合気が形成される。
【００３０】
圧縮工程にてシリンダ内の混合気が圧縮され、ピストン１１５が上死点付近に到達すると、点火プラグ１１４が火花放電し、混合気に着火して膨張工程に移行する。電子制御スロットル１１１の開度同様、燃料噴射装置１１３の燃料噴射量および燃料噴射タイミング、点火プラグ１１４の点火時期は、運転者の加速要求、減速要求、車両１の状態に応じてエンジン制御システム１０１により適切に制御される。
【００３１】
混合気が爆発して膨張行程が終了すると、排気バルブ１１８が開き、燃焼後の排気ガスが、排気システム２００に送られる。
【００３２】
＜排気システム２００＞
排気システム２００は、エンジン１００から排出された排気ガスを浄化する浄化装置である三元触媒２１２とガソリンパティキュレートフィルター（ＧＰＦ）２１４とを備える。三元触媒２１２は、エンジン１００から放出される排気ガスを化学反応によって浄化する触媒であり、ＧＰＦ２１４は、エンジン１００から放出される排気ガス中に含まれるＰＭを吸着して浄化する触媒である。
【００３３】
Ｏ２センサ２１１は、エンジン１００から放出された排気ガス中に含まれる酸素を検出する。Ｏ２センサ２１１は、エンジン制御システム１０１と接続され、エンジン制御システム１０１は、排気ガスの残留酸素濃度から、次の燃焼行程における空気量や燃料噴射量の空燃比補正を行う。
【００３４】
エンジン１００から放出されたばかりの排気ガスに大量に含まれる一酸化炭素または窒素酸化物は、前記Ｏ２センサ２１１の下流に配置された三元触媒２１２によって、水、二酸化炭素、窒素に還元される。この三元触媒２１２の温度は、三元触媒温度センサ２１３によって監視され、その三元触媒２１２の温度が所定の温度範囲内となるように、エンジン制御システム１０１は、エンジン１００の出力の調整を常に行う（後で詳述）。なお、ここでは、三元触媒２１２の温度は、当該三元触媒２１２に取り付けられた三元触媒温度センサ２１３によって直接的に取得されているが、間接的に取得するようにしてもよい。
【００３５】
三元触媒２１２を通過した排気ガスは、次いでＧＰＦ２１４を通過する。このＧＰＦ２１４によって、三元触媒２１２では除去しきれないＰＭや有害物質をさらに取り除く。このＧＰＦ２１４の温度は、ＧＰＦ温度センサ２１５によって監視され、そのＧＰＦ２１４の温度が所定の温度範囲内となるように、エンジン制御システム１０１は、エンジン１００の出力の調整を常に行う（後で詳述）。なお、ここでは、ＧＰＦ２１４の温度は、当該ＧＰＦ２１４に取り付けられたＧＰＦ温度センサ２１５によって直接的に取得されているが、間接的に取得するようにしてもよい。
【００３６】
また、ＧＰＦ２１４の上流と下流には、ＧＰＦ上流圧力センサ２１６とＧＰＦ下流圧力センサ２１７がそれぞれ取り付けられる。ＧＰＦ２１４のＰＭ堆積量が少ない場合は、ＧＰＦ上流圧力センサ２１６が示す圧力とＧＰＦ下流圧力センサ２１７が示す圧力の差が小さい。一方、ＧＰＦ２１４のＰＭ堆積量が多い場合は、ＧＰＦ上流圧力センサ２１６が示す圧力とＧＰＦ下流圧力センサ２１７が示す圧力の差が大きくなる。この圧力センサ（ＧＰＦ上流圧力センサ２１６、ＧＰＦ下流圧力センサ２１７）の圧力差によって、ＧＰＦ２１４のＰＭ堆積量の監視が可能となる。
【００３７】
ＧＰＦ２１４を通過した排気ガスは、さらに下流の消音機（不図示）を通過して大気中に放出される。
【００３８】
＜トランスミッション３００＞
一方、トランスミッション３００は、エンジン１００の動力を（ドライブシャフト３０４を介して）車輪へ伝達または遮断するためのクラッチ機構３０１と、エンジン１００の回転から所定のトルクを車輪へ出力するための変速機３０２とを備える。
【００３９】
エンジン１００の出力は、クラッチ機構３０１によって伝達される。このクラッチ機構３０１のクラッチ開放または締結は、運転者の加速要求または減速要求、車両１の状態等に応じて自動的にトランスミッション制御システム３０３によって行われる。前記したエンジン制御システム１０１とトランスミッション制御システム３０３とは相互に通信を行っており、協調制御を実施する。
【００４０】
ここで、エンジン制御システム１０１は、運転者の加速要求および減速要求がないとき（つまり、運転者が一定の速度で車両１を走行させようとするとき）、惰性走行を許可するようになっている。
【００４１】
エンジン制御システム１０１からの惰性走行許可信号を受けると、トランスミッション制御システム３０３は、クラッチ機構３０１がクラッチを開放し、エンジン１００の動力の伝達の遮断を行う、あるいは、変速機３０２がニュートラルギアに変速し、ドライブシャフト３０４への動力伝達を遮断する指令を各部品に出力する。
【００４２】
《惰性走行切替制御のフロー》
図２は、本発明に係る車両制御装置（エンジン制御システム）の実施形態１による、排気システム２００中の各浄化装置（三元触媒ａ２１２、ＧＰＦ２１４）の状態の監視から惰性走行（エンジンアイドル惰性走行、エンジン停止惰性走行）許可までの制御のフローチャートである。
【００４３】
このフローチャートに示されたステップｓ１０１からステップｓ１０６の動作は、図１のエンジン制御システム１０１において周期的に実行される。
【００４４】
＜惰性走行への移行判断：ｓ１０１＞
図２のステップｓ１０１では、エンジン制御システム１０１が、エンジン１００の出力が低負荷の状態で巡航可能と判断し、惰性走行への移行を許可する（惰性走行開始運転条件成立）。
【００４５】
本実施形態では、トランスミッション３００のクラッチ機構３０１（のクラッチ）を開放した（すなわち、エンジン１００の動力の伝達を遮断した）状態で、エンジン１００（の回転数）をアイドル状態として走行するエンジンアイドル惰性走行と、同様にクラッチ機構３０１を開放した状態で、エンジン１００を停止して走行するエンジン停止惰性走行との、２つの形態（モード）の惰性走行を実施する。
【００４６】
なお、本実施形態では、クラッチ機構３０１を開放した状態で、エンジン停止またはエンジンアイドル状態としているが、クラッチ機構３０１が締結している状態で変速機３０２のギアをニュートラルとし、エンジン停止またはアイドル状態としてもよい。
【００４７】
また、エンジン１００の出力が低負荷と判断する基準は、運転者によってアクセルペダル４０４が所定の範囲内で一定に踏まれており、一定の速度を保って運転している状態、または、所定の速度で運転者のペダル操作が無い状態、運転者がクルーズコントロールスイッチ４０３を操作して実施するオートクルーズ機能によりエンジン制御システム１０１がエンジン１００の出力を制御している場合である。なお、これらのエンジン低負荷の判断基準は一例であり、上記以外に、例えば、加速度センサや傾斜センサによって下り坂を検知し、車速を保ったままエンジン回転数を抑えて走行できる状況などを判断基準としてもよい。
【００４８】
＜第一触媒（三元触媒）診断：ｓ１０２＞
図２のステップｓ１０２では、第一の浄化装置（触媒）である三元触媒２１２の診断を実施する。
【００４９】
例えば、この診断では、三元触媒２１２の温度（三元触媒温度センサ２１３で監視）を測定し、三元触媒２１２の温度が所定の温度範囲内にあるか否かを判定する。
【００５０】
三元触媒２１２の温度が三元触媒活性化温度下限を超えていない場合は、活性化が不十分で、排気ガスの浄化が効率的に行われない。
【００５１】
また、三元触媒２１２の温度が（エンジン停止惰性走行禁止上限より）高温となっている場合は、エンジン１００を停止すると、排気ガスフローによる冷却が実施できなくなり、三元触媒２１２が焼損する恐れがある。
【００５２】
これらを考慮し、エンジン停止惰性走行を実施（許可）する第一の条件として、三元触媒２１２の温度が所定の温度範囲内にある場合は、問題なしとして、ステップｓ１０３に移行する。
【００５３】
一方、三元触媒２１２の温度が所定の温度範囲外にある場合は、ステップｓ１１０に移行し、エンジンアイドル惰性走行のみを許可する。
【００５４】
なお、ステップｓ１０２では、三元触媒２１２の温度を三元触媒温度センサ２１３で監視してエンジン停止惰性走行の許可または禁止としているが、例えば、三元触媒温度センサ２１３とエンジン制御システム１０１の接続が不良となっている場合は、三元触媒２１２の温度が正確に取得できないとして、ステップｓ１１０に移行する条件を追加してもよい。
【００５５】
＜第二触媒（ＧＰＦ）診断：ｓ１０３＞
図２のステップｓ１０３では、第二の浄化装置（触媒）であるＧＰＦ２１４の診断を行う。
【００５６】
例えば、この診断では、ＧＰＦ２１４の温度（ＧＰＦ温度センサ２１５で監視）が所定の温度範囲内にあるか否かを判定する。
【００５７】
ＧＰＦ２１４の温度が（ＧＰＦ温度異常閾値より）高温となっている場合は、エンジン１００を停止すると、排気ガスフローによる冷却が実施できなくなり、ＧＰＦ２１４が焼損する恐れがある。
【００５８】
それを考慮し、ＧＰＦ２１４の温度が所定の温度範囲外にある場合は、ステップｓ１１０に移行し、エンジンアイドル惰性走行のみを許可する。
【００５９】
また、ここで、ＧＰＦ上流圧力センサ２１６とＧＰＦ下流圧力センサ２１７の圧力差を確認し、ＧＰＦ２１４の前後圧力の差が所定の範囲内であるか否かを評価する。
【００６０】
ＧＰＦ２１４の前後圧力の差が小さい場合においては、ＧＰＦ２１４にクラックが存在することやセンサ故障などが考えられる。
【００６１】
また、ＧＰＦ２１４の前後圧力の差が大きい場合は、捕集したＰＭが過堆積となっており、後述のＧＰＦ再生制御が必要である。この場合、エンジンアイドル惰性走行は許可し、排気ガスの熱によって捕集したＰＭを燃焼させるＧＰＦ再生制御を実行する。
【００６２】
よって、エンジン停止惰性走行を実施（許可）する第二の条件として、ＧＰＦ２１４の温度とＧＰＦ２１４の前後圧力差が所定の範囲内にある場合は、問題なしとして、ステップｓ１０４に移行し、エンジンアイドル惰性走行を許可する。
【００６３】
一方、前記した第二の条件が不成立であった場合は、ステップｓ１１０に移行し、エンジンアイドル惰性走行のみを許可する。
【００６４】
なお、本実施形態では、一般に、三元触媒２１２がＧＰＦ２１４より温度管理条件が厳しいので、上流側に配置した三元触媒２１２の診断を実施した後に、下流側に配置したＧＰＦ２１４の診断を実施したが、ＧＰＦ２１４の診断を実施した後に、三元触媒２１２の診断を実施してもよいことは勿論である。
【００６５】
＜エンジン停止許可条件判断：ｓ１０５＞
図２のステップｓ１０４で、一旦、エンジンアイドル惰性走行を許可している状態とし、ステップｓ１０５で、エンジン停止惰性走行への許可または禁止（エンジン停止許可条件成立）を判定する。
【００６６】
このエンジン停止判断は、三元触媒２１２とＧＰＦ２１４の状態以外の車両１の状態によって決定される。例えば、車両１に搭載されたバッテリー５０１（例えば、そのバッテリー電圧）がエンジン停止惰性走行を許可する条件から外れている場合にエンジン停止惰性走行を禁止することを条件に追加することなどが考えられる。
【００６７】
ステップｓ１０５でエンジン停止惰性走行実施（許可）条件が成立しないと判定された場合は、ステップｓ１０６がスキップされ、エンジンアイドル惰性走行を継続して実行する。
【００６８】
一方、ステップｓ１０５でエンジン停止惰性走行実施（許可）条件が成立していると判定された場合は、ステップｓ１０６に移行し、エンジン停止惰性走行を許可する。
【００６９】
《惰性走行切替制御における車両状態》
図３のタイミングチャートは、本発明に係る車両制御装置（エンジン制御システム）が、図２で示すフローチャートに基づき説明した制御を連続して実行し、排気システム２００中の各浄化装置（三元触媒ａ２１２、ＧＰＦ２１４）の状態を監視しながらエンジンアイドル惰性走行またはエンジン停止惰性走行を実施した際の、エンジン１００および車両１の各パラメータの変化の一例を示したものである。
【００７０】
図３のｔ０において、運転者がアクセルペダル４０４の操作を行い、ｔ１にかけて車両１が加速する。ｔ１では、運転者が意図した車速ＶＳＰに達したと判断し、一定の速度を維持するようなペダル操作が行われる。ｔ２に達した際、図２のステップｓ１０１で説明した惰性走行開始運転条件が成立する。
【００７１】
ｔ２において、三元触媒２１２の触媒温度ＣＡＴＴは三元触媒活性化温度下限に達しておらず、まだ三元触媒２１２が十分に機能しない状態である。そのため、図２のステップｓ１０２の評価で否定され、ステップｓ１１０に移行して、エンジンアイドル惰性走行が実施される。
【００７２】
この時、クラッチ機構３０１（のクラッチ）は締結状態から開放状態となって、変速機３０２へのエンジン１００の駆動力の伝達が停止（遮断）する。ｔ３では、運転者の加速要求および減速要求がなくなり、ｔ４からｔ５にかけては、運転者がブレーキペダル４０５の操作を行って減速する様子を示し、ｔ５では、車両１が停止する。
【００７３】
ｔ６で、運転者が再びアクセルペダル４０４の操作を行うと、クラッチ機構３０１のクラッチが締結されて車両１は加速し始める。
【００７４】
ｔ７では、ｔ１と同様、運転者が意図した車速ＶＳＰに達したと判断し、一定の速度を維持するようなペダル操作が行われる。ｔ８に達した際、図２のステップｓ１０１で説明した惰性走行開始運転条件が成立する。
【００７５】
ｔ８において、三元触媒２１２の触媒温度ＣＡＴＴは三元触媒活性化温度下限とエンジン停止惰性走行禁止上限の範囲内にあり、三元触媒２１２が十分に機能している状態である。そのため、図２のステップｓ１０２で三元触媒温度条件が成立し、ステップｓ１０３に移行する。
【００７６】
次に、図２のステップｓ１０３で説明したＧＰＦ診断を行う。ここでは、ＧＰＦ２１４の温度条件のみを考慮することとする。
【００７７】
図３のｔ８におけるＧＰＦ２１４の温度（ＧＰＦ温度）ＧＰＦＴは、ＧＰＦ温度異常閾値よりも低い値を示している。そのため、図２のステップｓ１０４の処理に移行し、エンジンアイドル惰性走行が実施される。
【００７８】
このような評価がｔ８で実施された後、エンジンアイドル惰性走行が実施され、ｔ９にかけて、エンジン回転数Ｎがアイドル回転数に向かって下降する。
【００７９】
ｔ９からｔ１０は、エンジンアイドル惰性走行を実施した後、エンジン停止惰性走行実施条件が成立するか否かを判断している状態であり、ｔ１０において、予め定められたエンジン停止惰性走行実施条件が成立すると、エンジン回転数Ｎは０（エンジン停止）となる。
【００８０】
以上のように、本実施形態では、排気システム２００中に複数の浄化装置（三元触媒２１２、ＧＰＦ２１４）が存在する構成を有する車両１において、それぞれの浄化装置がエンジン停止惰性走行に移行できる状態にあるか否かを判断し、いずれかの浄化装置の状態がエンジン停止惰性走行実施条件を満たさない場合は、エンジン停止惰性走行を許可しない（禁止する）、言い換えれば、全ての浄化装置の状態がエンジン停止惰性走行実施条件を満たす場合のみ、エンジン停止惰性走行を許可することで、車両１の惰性走行による燃費向上と排気システム２００中に配備された全ての浄化装置の部品保護とが可能となる。
【００８１】
［実施形態２］
《惰性走行切替制御のフロー》
図４は、本発明に係る車両制御装置（エンジン制御システム）の実施形態２による、排気システム２００中の各浄化装置（三元触媒ａ２１２、ＧＰＦ２１４）の状態の監視から惰性走行（エンジンアイドル惰性走行、エンジン停止惰性走行）許可までの制御のフローチャートである。
【００８２】
図４のフローチャートは、前述の図２のフローチャートを改良し、ＧＰＦ２１４の再生制御を考慮した実施形態を示すものである。
【００８３】
なお、本実施形態２の車両制御装置（エンジン制御システム）が適用される車両自体の構成は、図１に基づき説明した構成と同じである。
【００８４】
図４のステップｓ２０１とステップｓ２０２とステップｓ２０３は、図２のステップｓ１０１とステップｓ１０２とステップｓ１０３にそれぞれ対応しており、図４のステップｓ２０１とステップｓ２０２では、図２のステップｓ１０１とステップｓ１０２と同様の処理が行われる。
【００８５】
以下では、図４のステップｓ２０２の第一触媒（三元触媒２１２）診断の結果が異常でなく、ステップｓ２０３に移行した場合の、第二触媒（ＧＰＦ２１４）診断からの処理フローを説明する。
【００８６】
＜第二触媒（ＧＰＦ）診断（ＰＭ堆積量診断）：ｓ２０３＞
本実施形態では、図４のステップｓ２０３の診断において、第二触媒（ＧＰＦ２１４）のＰＭ堆積量の診断を実施するものとする。
【００８７】
ＧＰＦ２１４のＰＭ堆積量は、前述のようにＧＰＦ上流圧力センサ２１６とＧＰＦ下流圧力センサ２１７の圧力差を確認するとともに、その２つの圧力センサの圧力差と排気ガスの流量または質量によって算出できる。
【００８８】
ステップｓ２０３では、ＧＰＦ２１４のＰＭ堆積量から、ＧＰＦ２１４の再生制御の必要または不要を判定する。すなわち、前述の方法によってＰＭ堆積量を取得し、ＰＭ堆積量がＧＰＦ再生制御開始閾値（フィルター再生制御実行堆積量ともいう）を超えていない（未満である）場合は、ステップｓ２０４に移行し、エンジンアイドル惰性走行を許可する。
【００８９】
一方、ステップｓ２０３で、ＧＰＦ２１４のＰＭ堆積量がＧＰＦ再生制御開始閾値を超えている（以上である）場合は、ステップｓ２１１に移行する。
【００９０】
＜ＧＰＦ再生制御条件判断：ｓ２１１＞
ステップｓ２１１では、ＧＰＦ温度センサ２１５で取得するＧＰＦ温度がＧＰＦ再生温度を超えているか否かを判断する。
【００９１】
本実施形態では、ＧＰＦ温度センサ２１５を用いて直接ＧＰＦ２１４の温度を測定する方法を示しているが、例えば、上流の三元触媒温度センサ２１３で測定した温度から当該ＧＰＦ２１４の温度を推定する方法で取得してもよい。
【００９２】
ＧＰＦ温度がＧＰＦ再生温度を超えている場合は、ステップｓ２１２に移行してエンジン１００の目標エンジン回転数をエンジンアイドル回転数とし、ステップｓ２１３に移行してエンジンアイドル惰性走行を許可する。
【００９３】
また、ステップｓ２１１で、ＧＰＦ温度がＧＰＦ再生温度を超えていない場合、ステップｓ２２１に移行する。ステップｓ２２１では、ＧＰＦ２１４を再生可能温度（ＧＰＦ再生温度）まで昇温させるために、エンジン１００の目標エンジン回転数として、エンジンアイドル回転数にオフセットを加えた回転数を設定し、その後、ステップｓ２１３に移行してエンジンアイドル惰性走行を許可する。
【００９４】
本実施形態では、ＧＰＦ温度がＧＰＦ再生温度以下である場合の目標エンジン回転数として、アイドル回転数にオフセットを加えたものを採用しているが、予めエンジンアイドル惰性走行中に再生制御する場合の目標エンジン回転数を定めておいてもよい。
【００９５】
また、本実施形態では、エンジン１００のアイドル回転数を上昇させる方法によって、ＧＰＦ２１４の昇温を図っているが、ガソリンエンジンの場合は、エンジン回転数を据え置いたままで空気量や燃料噴射量、点火時期の補正によっても昇温が可能である。例えば、吸入空気量増量と点火時期の遅角を同時に行うことによって、同じエンジン回転数でありながら、エンジン１００の気筒内で発生する熱を、排気システム２００側へ移動させることができる。また、燃料噴射量を調整して、燃料の割合を濃く（リッチに）設定することで、三元触媒２１２の化学反応を促進させて昇温し、高温のガスをその下流へ流してＧＰＦ２１４の昇温を図ることも考えられる。このような空気量補正、燃料噴射量補正、点火時期補正をエンジン制御システム１０１により行うことで、ＧＰＦ２１４の昇温を図る制御をステップｓ２２１に適用した形態としてもよい。
【００９６】
＜ＧＰＦ再生制御終了判断＞
図４のステップｓ２１２またはステップｓ２２１を経由した場合は、ステップｓ２１３で、エンジンアイドル惰性走行を許可（実施）する。
【００９７】
図４のフローチャートが所定のタイミングにて逐次実行されることにより、ステップｓ２０３の第二触媒（ＧＰＦ）診断は繰り返し行われる。ＧＰＦ温度がＧＰＦ再生制御に必要な温度（ＧＰＦ再生温度）に維持されることで、ＧＰＦ２１４に捕捉されたＰＭは減少する。
【００９８】
ＧＰＦ２１４のＰＭ堆積量が所定値（フィルター再生制御実行堆積量）未満となった場合は、ステップｓ２０３の診断結果が正常となってステップｓ２０４に移行し、ＧＰＦ再生制御は終了する。
【００９９】
なお、図４のステップｓ２０４とステップｓ２０５とステップｓ２０６では、図２のステップｓ１０４とステップｓ１０５とステップｓ１０６と同様の処理が行われて、車両１の状態に応じた適正な惰性走行（エンジンアイドル惰性走行、エンジン停止惰性走行）が実施される。
【０１００】
《惰性走行切替制御における車両状態》
図５のタイミングチャートは、本発明に係る車両制御装置（エンジン制御システム）が、図４で示すフローチャートに基づき説明した制御を連続して実行し、排気システム２００中の各浄化装置（三元触媒ａ２１２、ＧＰＦ２１４）の状態を監視した結果、ＧＰＦ２１４の再生制御を行いながらエンジンアイドル惰性走行またはエンジン停止惰性走行を実施した際の、エンジン１００および車両１の各パラメータの変化の一例を示したものである。
【０１０１】
図５のｔ１１において、運転者がアクセルペダル４０４の操作を行い、ｔ１２にかけて車両１が加速する。ｔ１２では、運転者が意図した車速ＶＳＰに達したと判断し、一定の速度を維持するようなペダル操作が行われる。ｔ１３に達した際、図４のステップｓ２０１で説明した惰性走行開始運転条件が成立する。
【０１０２】
ｔ１３では、三元触媒２１２の触媒温度ＣＡＴＴ、ＧＰＦ２１４の温度（ＧＰＦ温度）ＧＰＦＴ、ＧＰＦ２１４のＰＭ堆積量ＧＰＦＰＭの状態を判断して、エンジンアイドル惰性走行の許可を判断する。
【０１０３】
ｔ１３において、三元触媒２１２の触媒温度ＣＡＴＴは三元触媒活性化温度下限とエンジン停止惰性走行禁止上限の範囲内にあり、三元触媒２１２が十分に機能している状態である。そのため、図４のステップｓ２０２で三元触媒温度条件が成立し、ステップｓ２０３に移行する。
【０１０４】
次に、ｔ１３におけるＧＰＦ２１４のＰＭ堆積量ＧＰＦＰＭは、フィルター再生制御実行堆積量よりも高い。そのため、図４のステップｓ２１１の処理に移行し、ＧＰＦ温度ＧＰＦＴの評価を実行する。
【０１０５】
ｔ１３において、ＧＰＦ温度ＧＰＦＴはＧＰＦ再生温度に達していない。そのため、ステップｓ２２１に遷移し、惰性走行実行時のエンジン回転数Ｎを、アイドル回転数＋オフセットとして、ｔ１４で、エンジンアイドル惰性走行が実行される。
【０１０６】
ｔ１４からｔ１５にかけては、ＧＰＦ温度がＧＰＦ再生温度に達していないために、アイドル回転数を（オフセット分だけ）上昇させてＧＰＦ２１４の昇温を図る。
【０１０７】
ｔ１５では、ＧＰＦ温度がＧＰＦ再生温度に達したため、ＧＰＦ再生が開始され、ＧＰＦ２１４のＰＭ堆積量ＧＰＦＰＭは減少する。
【０１０８】
また、ｔ１５において、ＧＰＦ温度がＧＰＦ再生温度を超えた場合、図４のステップｓ２１１の評価において温度条件が成立することになる。そのため、ステップｓ２１２へ移行し、エンジンアイドル惰性走行時のアイドル回転数は、通常のアイドル回転数と同じ回転数に設定される。
【０１０９】
ｔ１６からｔ１７の区間は、再び運転者の加速要求によってアクセルペダル４０４が踏まれ、エンジン回転数Ｎが上昇し、車速ＶＳＰが上昇する様子を表している。この区間では、エンジン回転数Ｎの上昇によって、高温の排気ガスが三元触媒２１２とＧＰＦ２１４に送られることから、ＧＰＦ温度はＧＰＦ再生温度以上を保持し、再生制御が継続して、ＰＭ堆積量ＧＰＦＰＭはさらに減少する。
【０１１０】
ｔ１７では、ｔ１２と同様、運転者が意図した車速ＶＳＰに達したと判断し、一定の速度を維持するようなペダル操作が行われる。ｔ１８に達した際、図４のステップｓ２０１で説明した惰性走行開始運転条件が成立する。
【０１１１】
ｔ１８では、三元触媒２１２が十分に機能しており、ＧＰＦ２１４のＰＭ堆積量が所定値（フィルター再生制御実行堆積量）未満である。そのため、図４のステップｓ２０３からステップｓ２０４に移行してエンジンアイドル惰性走行が実施される。
【０１１２】
このような評価がｔ１８で実施された後、エンジンアイドル惰性走行が実施され、ｔ１９にかけて、エンジン回転数Ｎがアイドル回転数に向かって下降する。
【０１１３】
ｔ１９からｔ２０にかけてエンジンアイドル惰性走行中に、図４のステップｓ２０５を評価（エンジン停止惰性走行実施条件が成立するか否かを判断）し、ｔ２０で予め定められたエンジン停止惰性走行実施条件が成立すると、エンジン回転数は０（エンジン停止）となる。
【０１１４】
以上のように、本実施形態２では、排気システム２００に配備された三元触媒２１２の温度に加えて、ＧＰＦ２１４の温度とＰＭ堆積量を監視して、エンジン停止惰性走行を許可（実施）または禁止するようにしたが、ＧＰＦ２１４のＰＭ堆積量を条件に用いることで、ＰＭ堆積量が低い場合は三元触媒２１２の温度条件のみでエンジン停止惰性走行が可能であり、更なる燃費向上が見込まれる。
【０１１５】
《各触媒の状態に対する惰性走行モードの実施領域》
図６は、上記した第一触媒（三元触媒２１２）と第二触媒（ＧＰＦ２１４）の状態に応じて決定される、エンジンアイドル惰性走行とエンジン停止惰性走行の実施範囲を示したものである。横軸の上段側は、第一触媒の条件である三元触媒２１２の温度、横軸の下段側は、第二触媒の条件であるＧＰＦ２１４の温度、縦軸は、第二触媒の条件であるＧＰＦ２１４のＰＭ堆積量を示す。
【０１１６】
図６のＡ領域では、三元触媒２１２の温度が（エンジン停止許可下限より）低く、昇温が必要であるため、エンジン停止惰性走行が禁止され、エンジンアイドル惰性走行が実施される。
【０１１７】
また、Ｂ領域では、三元触媒２１２の温度が（エンジン停止許可上限より）高く、冷却が必要であるため、エンジン停止惰性走行が禁止され、エンジンアイドル惰性走行が実施される。
【０１１８】
すなわち、Ａ領域とＢ領域は、三元触媒２１２の温度によって区分される。
【０１１９】
Ｃ領域は、三元触媒２１２の温度がエンジン停止惰性走行実施条件を満たしており（つまり、エンジン停止許可下限とエンジン停止許可上限の範囲内であり）、かつ、ＧＰＦ２１４のＰＭ堆積量が再生制御開始閾値を下回っているため、（三元触媒２１２とＧＰＦ２１４の状態以外の車両１の状態に応じて）エンジン停止惰性走行が実施される。
【０１２０】
このＣ領域は、三元触媒２１２の温度とＧＰＦ２１４のＰＭ堆積量で区分される。
【０１２１】
Ｄ領域とＥ領域は、三元触媒２１２の温度がエンジン停止惰性走行実施条件を満たしているが、ＧＰＦ２１４のＰＭ堆積量が（再生制御開始閾値以上と）高く、ＧＰＦ再生制御が必要な領域である。ここで、Ｄ領域では、ＧＰＦ２１４の温度がＧＰＦ再生可能温度を超えているため、通常のエンジンアイドル惰性走行が実施される。一方で、Ｅ領域では、ＧＰＦ２１４の温度がＧＰＦ再生可能温度以下と低いため、ＧＰＦ２１４の触媒昇温を伴うエンジンアイドル惰性走行が実施される。
【０１２２】
すなわち、Ｄ領域とＥ領域は、三元触媒２１２の温度とＧＰＦ２１４のＰＭ堆積量とＧＰＦ温度によって区分される。
【０１２３】
［実施形態１、２の作用効果］
以上説明したように、本実施形態１、２によれば、排気システム２００中に特性の異なる複数の浄化装置がある場合においても、それぞれの浄化装置の状態に応じて、エンジン停止惰性走行とエンジンアイドル惰性走行とが適切に切り替えられることによって、部品保護と燃費向上が実現可能となる。
【０１２４】
具体的には、車両１には、ガソリンエンジン１００から放出される排気ガスを化学反応によって浄化する第一の触媒（三元触媒２１２）と、ガソリンエンジン１００から放出される排気ガス中に含まれるＰＭを吸着するための第二の触媒（ＧＰＦ２１４）が備えられる。
【０１２５】
上記三元触媒２１２とＧＰＦ２１４はそれぞれ独立に排気システム２００（の排気管）内に取り付けられ、三元触媒２１２の状態とＧＰＦ２１４の状態はそれぞれ独立した温度センサ（三元触媒温度センサ２１３、ＧＰＦ温度センサ２１５）によって監視される。ＧＰＦ２１４の上流と下流には圧力センサ（ＧＰＦ上流圧力センサ２１６、ＧＰＦ下流圧力センサ２１７）が搭載され、ＧＰＦ２１４の前後の圧力の差を監視することで、ＧＰＦ２１４のＰＭ堆積量を検出する。
【０１２６】
また、上記車両１には、ドライバーからの加速要求または減速要求から、ガソリンエンジン１００の空気流入量、燃料噴射量、点火時期等を計算し、各部品に指令信号を送信するエンジン制御システム１０１と、車輪へのエンジン１００の動力の伝達または遮断を制御するトランスミッション制御システム３０３とが備えられ、エンジン制御システム１０１は、ドライバーの加速要求または減速要求が無いとき（つまり、ドライバーが一定の速度で車両１を走行させようとするとき）に、エンジン１００と変速機３０２を切り離して実施されるエンジンアイドル惰性走行またはエンジン停止惰性走行を実行する。
【０１２７】
上記エンジン制御システム１０１は、通常走行からエンジンアイドル状態の惰性走行（エンジンアイドル惰性走行）に移行する際の判断に、前述した三元触媒２１２の温度とＧＰＦ２１４の温度とＧＰＦ２１４のＰＭ堆積量を用いる。
【０１２８】
すなわち、上記エンジン制御システム１０１は、三元触媒２１２の温度が所定の温度範囲内（三元触媒２１２の特性に応じて予め定められた範囲内）であり、ＧＰＦ２１４のＰＭ堆積量が低い（ＧＰＦ２１４の特性に応じて予め定められたＧＰＦ再生制御開始閾値（フィルター再生制御実行堆積量）未満である）場合は、エンジン停止惰性走行を許可する。
【０１２９】
また、三元触媒２１２の温度が所定の温度範囲内であり、ＧＰＦ２１４のＰＭ堆積量が高い（ＧＰＦ再生制御開始閾値（フィルター再生制御実行堆積量）以上である）場合は、エンジンアイドル惰性走行を許可し、エンジン停止惰性走行を許可しない（禁止する）。
【０１３０】
また、前述のエンジンアイドル惰性走行実施時（ＧＰＦ２１４のＰＭ堆積量が高い場合）に、ＧＰＦ温度が低い（ＧＰＦ２１４の特性に応じて予め定められたＧＰＦ再生温度以下である）場合は、所定の温度（ＧＰＦ再生温度）より高くなるように、ＧＰＦ２１４の昇温を行う。
【０１３１】
このように、第一の浄化装置（触媒）である三元触媒２１２の温度と第二の浄化装置（触媒）であるＧＰＦ２１４の温度を独立して監視することで、車両１の惰性走行による燃費向上と排気システム２００中に配備された三元触媒２１２とＧＰＦ２１４の部品保護を同時に行うことが可能となる。
【０１３２】
また、エンジン停止惰性走行の実施を許可する条件で、三元触媒２１２の温度とＧＰＦ２１４の温度以外に排気システム２００の圧力を監視することで、浄化装置毎の温度条件を全て満たさずともエンジン停止惰性走行に移行することが可能となり、更なる燃費向上を図ることが可能となる。
【０１３３】
［変形形態］
なお、本発明は上記した実施形態に限定されるものではなく、様々な変形形態が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【０１３４】
例えば、上記実施形態では、三元触媒とＧＰＦの組み合わせによる構成のシステムを説明したが、本発明はこの組み合わせに限定されず、三元触媒と三元触媒の組み合わせ、または、Ｖ型エンジン等に見られる左右独立の排気システムへの適用も可能である。
【０１３５】
また、上記実施形態では、ガソリンエンジンのためのＧＰＦを説明に用いたが、本発明は、ガソリンエンジンのみならず、ディーゼルエンジンにも適用が可能である。
【０１３６】
また、上記実施形態では、ガソリンエンジンの直噴インジェクションシステムに適用した場合を説明したが、本発明は、ポート噴射方式のエンジンにも適用が可能である。
【符号の説明】
【０１３７】
１００・・・エンジン、１０１・・・エンジン制御システム（車両制御装置）、１１０・・・エアフロセンサ、１１１・・・電子制御スロットル、１１２・・・吸気バルブ、１１３・・・燃料噴射装置（インジェクタ）、１１４・・・点火プラグ、１１５・・・ピストン、１１６・・・コンロッド、１１７・・・クランクシャフト、１１８・・・排気バルブ、２００・・・排気システム、２１１・・・Ｏ２センサ、２１２・・・三元触媒（浄化装置）、２１３・・・三元触媒温度センサ、２１４・・・ＧＰＦ（ガソリンパティキュレートフィルター）（浄化装置）、２１５・・・ＧＰＦ温度センサ、２１６・・・ＧＰＦ上流圧力センサ、２１７・・・ＧＰＦ下流圧力センサ、３０１・・・クラッチ機構、３０２・・・変速機、３０３・・・トランスミッション制御システム、４０１・・・アクセルペダルセンサ、４０２・・・ブレーキペダルセンサ、４０３・・・クルーズコントロールスイッチ、４０４・・・アクセルペダル、４０５・・・ブレーキペダル、５０１・・・バッテリー
【図１】
0006550012.tif 000002
【図２】
0006550012.tif 000003
【図３】
0006550012.tif 000004
【図４】
0006550012.tif 000005
【図５】
0006550012.tif 000006
【図６】
0006550012.tif 000007